(57)【特許請求の範囲】
【請求項１】
紙幣挿入口より挿入された紙幣を搬送する搬送手段と、挿入された紙幣の真偽を判定するための識別手段を配置した紙幣搬送通路と、前記識別手段にて偽と判定された紙幣を前記搬送手段により前記紙幣搬送通路上を前記挿入口方向へ搬送する逆転手段と、該逆転手段による紙幣搬送時に再度紙幣の真偽を前記識別手段により判定する判定手段を備えた紙幣識別装置において、前記逆転手段により紙幣を前記挿入口方向に搬送して再度紙幣の真偽を前記識別手段により判定するとき、紙幣が前記紙幣挿入口まで排出されないように、前記紙幣搬送通路上において前記紙幣挿入口と前記識別手段を関係させて配置することを特徴とする紙幣識別装置。
【請求項２】
請求項１記載の紙幣識別装置において、識別処理は所定回数行うことを特徴とする紙幣識別装置。
【請求項３】
請求項１記載の紙幣識別装置において、前記判定手段により該判定により紙幣を真と判定した場合には、再受け入れ時には紙幣の真偽を判別せずに受け入れる受入手段とを備えたことを特徴とする紙幣識別装置。
【請求項４】
請求項２記載の紙幣識別装置において、所定回数の識別処理の中で、少なくとも１回でも真札と判定することにより、紙幣を取り込みことを特徴とする紙幣識別装置。
【請求項５】
請求項１ないし４のいずれかに記載の紙幣識別装置において、前記紙幣搬送通路に沿う前記紙幣挿入口から識別手段までの距離を紙幣挿入方向の全長より長い間隔に配置することを特徴とする紙幣識別装置。
【請求項６】
請求項１ないし５のいずれかに記載の紙幣識別装置において、識別処理を所定回数行っても偽と判定された時点で、紙幣を紙幣挿入口に返却することを特徴とする紙幣識別装置。
【発明の詳細な説明】
【技術分野】
【０００１】
本発明は、挿入された紙幣の真偽を判別するための紙幣識別装置に関する。
【背景技術】
【０００２】
従来の紙幣識別装置として、挿入された紙幣の真偽を判定し、偽と判定すると、
一旦、紙幣投入口に紙幣を戻し、ここで客に紙幣が抜き取られない限り、所定回数の識別操作（リトライ操作）を行うようにした紙幣識別装置が知られている（例えば、特許文献１）。
【特許文献１】特開平６−１６２３１０号公報
【発明の開示】
【発明が解決しようとする課題】
【０００３】
しかしながら、上述した特許文献１の自動販売機では、偽と判定された紙幣に関しては、紙幣投入口まで紙幣を一旦戻すため、客は、真紙幣を投入しているにもかかわらず、不快感を与えてしまう可能性があり、再識別操作を待たずに紙幣を抜き取ってしまう可能性がある。
また、再識別操作に関し、挿入方向でしか識別操作を行わないため、リトライ動作に時間がかかってしまうという問題点があった。
本発明は、上記問題点に鑑みて、紙幣のリトライ操作を短時間でかつ客に不快感を与えないようにする紙幣識別装置を提供することを目的とする。
【課題を解決するための手段】
【０００４】
上記の目的を達成するために、本発明は、以下のように構成する。
（１）紙幣挿入口より挿入された紙幣を搬送する搬送手段と、挿入された紙幣の真偽を判定するための識別手段を配置した紙幣搬送通路と、前記識別手段にて偽と判定された紙幣を前記搬送手段により前記紙幣搬送通路上を前記挿入口方向へ搬送する逆転手段と、該逆転手段による紙幣搬送時に再度紙幣の真偽を前記識別手段により判定する判定手段を備えた紙幣識別装置において、前記逆転手段により紙幣を前記挿入口方向に搬送して再度紙幣の真偽を前記識別手段により判定するとき、紙幣が前記紙幣挿入口まで排出されないように、前記紙幣搬送通路上において前記紙幣挿入口と前記識別手段を関係させて配置することを特徴とする。
（２）識別処理は所定回数行うことを特徴とする。
（３）前記判定手段により該判定により紙幣を真と判定した場合には、再受け入れ時には紙幣の真偽を判別せずに受け入れる受入手段とを備えたことを特徴とする。
（４）、所定回数の識別処理の中で、少なくとも１回でも真札と判定することにより、紙幣を取り込みことを特徴とする。
（５）上記逆転手段により紙幣を挿入口方向に搬送時に紙幣挿入口まで戻さないように搬送することの具体的な構成として、前記紙幣搬送通路に沿う前記紙幣挿入口から識別手段までの距離を紙幣挿入方向の全長より長い間隔に配置することを特徴とする。
（６）識別処理を所定回数行っても偽と判定された時点で、紙幣を紙幣挿入口に返却することを特徴とする。
【発明の効果】
【０００５】
本発明によれば、紙幣挿入口より挿入された紙幣を搬送する搬送手段と、挿入された紙幣の真偽を判定するための識別手段を配置した紙幣搬送通路と、上記識別手段にて偽と判定された紙幣を搬送手段により紙幣搬送通路上を挿入口方向へ搬送する逆転手段と、該逆転手段による紙幣搬送時に再度紙幣の真偽を識別手段により判定する判定手段を備えた紙幣識別装置において、上記逆転手段により紙幣を挿入口方向に搬送して再度紙幣の真偽を識別手段により判定するとき、紙幣が紙幣挿入口まで排出されないように、前記紙幣搬送通路上において前記紙幣挿入口と前記識別手段を関係させて配置することにより、従来と同じリトライ回数としてもリトライ処理を短時間で行えるという効果を奏し、しかも、上記逆転手段により紙幣を挿入口方向に搬送時に挿入口まで排出されないように搬送することで、客に挿入した紙幣が偽判定であったとの不快感を与えないという効果を奏する。
【発明を実施するための最良の形態】
【０００６】
以下に、本発明の実施形態について、図１、図２を用いて説明する。
まず、図１は、紙幣識別装置の概略側面図を示すもので、紙幣識別装置１は、自動販売機あるいは両替機等に搭載され、受け入れた紙幣の金種判定及び真贋判定を行うものである。
この紙幣識別装置１には、紙幣を受け入れるための紙幣挿入口２、紙幣搬送通路３の複数箇所に配置された紙幣受け入れおよび排出用の紙幣搬送ローラ４、紙幣から各識別要素をチェックするための紙幣識別センサ５、受け入れた紙幣を一時貯蔵する紙幣保留部６、紙幣搬送ローラ４を駆動する駆動部の制御、紙幣識別センサ５などの各構成要素を制御するための図示しない記憶部およびタイマを有する制御部７などが装備されている。
この構成において、紙幣挿入口２に挿入された紙幣は、紙幣搬送通路３に設けられた紙幣搬送ローラ４によって内部に搬入され、紙幣識別センサ５を通過したとき真券と判断されれば紙幣保留部６に保留されるものであり、紙幣が紙幣搬送通路３を通過する間に、紙幣の金種判定、真贋判定およびリトライ処理を主制御部７にて行う。
【０００７】
この主制御部７には、予め紙幣の再識別を行うためのリトライ回数が設定されており、紙幣識別のリトライ処理における紙幣排出時にも紙幣識別センサ５にて紙幣の真偽判定を行えるように制御するものである。
また、紙幣識別センサ５の設置箇所は、紙幣識別のリトライ処理時においても、紙幣がその紙幣挿入口２まで排出されないように、紙幣挿入口２と紙幣識別センサ５との位置関係となるように配置してなる。
なお、紙幣識別装置１の主制御部７と自動販売機あるいは両替機等の外部制御装置とは、紙幣の真偽判別結果などを通知するための図示しない通信手段で接続されている。
この構成において、紙幣のリトライ処理を図２のフローチャートを用いて説明する。
まず、待機状態において、紙幣投入有無を判断しており（ステップＳ１）、紙幣が紙幣挿入口２に挿入され、図示しないセンサにて紙幣の挿入を検知すると（ステップＳ１：ＹＥＳ）、主制御部７は、紙幣搬送ローラ３を正転駆動して紙幣の取り込みを開始する（ステップＳ２）。次に、搬送される紙幣が紙幣識別センサ５を通過したかを判断し（ステップＳ３）、紙幣が紙幣識別センサ５を通過すれば（ステップＳ３：ＹＥＳ）、紙幣識別センサ５を通過する間に得られた信号が主制御部７に入力され、デジタル変換後、紙幣の真偽判定が行われ、挿入された紙幣が真札か否かを判断する（ステップＳ４）。その結果、真札ではないと判断した場合には（ステップＳ４：ＮＯ）、識別合格フラグがセットされているかを判断し（ステップＳ５）、識別合格フラグもセットされていないと判断すると（ステップＳ５：ＮＯ）、主制御部７は、紙幣搬送ローラ３を逆転駆動して紙幣の返却を開始する（ステップＳ６）。
【０００８】
この逆転搬送される紙幣が紙幣識別センサ５を通過したかを判断し（ステップＳ７）、紙幣が紙幣識別センサ５を通過すれば（ステップＳ７：ＹＥＳ）、紙幣識別センサ５を通過する間に得られた信号が主制御部７に入力され、デジタル変換後、紙幣の真偽判定が行われ、返却処理中においても紙幣が真札か否かを判断する（ステップＳ８）。
この紙幣返却処理中の真札か否かを判断によっても、真札ではないと判断した場合には（ステップＳ８：ＮＯ）、次に、リトライ回数が所定回数以上かを判断する（ステップＳ９）。この実施形態の場合には、所定回数を３回と設定してあり、リトライ回数が３回以上で無ければ（ステップＳ９：ＮＯ）、リトライ回数の記憶に加算して（ステップＳ１０）、ステップＳ２の紙幣搬送ローラ３を正転駆動して紙幣の取り込みを開始する処理に戻る。
【０００９】
このようにして、ステップＳ２〜Ｓ１０の処理を繰り返し行い、ステップＳ９にてリトライ回数が３回以上となれば（ステップＳ９：ＹＥＳ）、紙幣の返却動作を続行して、この時点で初めて、紙幣挿入口２から紙幣が取り出せる位置まで紙幣を排出する（ステップＳ１１）。
前記ステップＳ８にて、紙幣返却処理中における紙幣の真札か否かを判断により、真札と判断した場合には（ステップＳ８：ＹＥＳ）、識別合格フラグをセットして（ステップＳ１２）、ステップＳ２に戻る。
このステップＳ２からの紙幣再取り込みにより、搬送される紙幣が紙幣識別センサ５を通過したかを判断し（ステップＳ３）、紙幣が紙幣識別センサ５を通過すれば（ステップＳ３：ＹＥＳ）、紙幣識別センサ５を通過する間に得られた信号が主制御部７に入力され、デジタル変換後、紙幣の真偽判定が行われ、挿入された紙幣が真札か否かを判断する（ステップＳ４）。その結果、真札ではないと判断した場合には（ステップＳ４：ＮＯ）、識別合格フラグがセットされているかを判断し（ステップＳ５）、この場合、識別合格フラグがセットされているため（ステップＳ５：ＹＥＳ）、紙幣保留部６まで紙幣を搬送する（ステップＳ１３）。
【００１０】
このように、一度でも真札と判断すると、紙幣を真札として取り込むものである。
一方、最初の取り込みにおいて、真札と判断すると（ステップＳ４：ＹＥＳ）、紙幣保留部６まで紙幣を搬送する（ステップＳ１３）。
このように、リトライ処理時にも紙幣の真偽判定を行うことにより、リトライ処理を短時間で行え、しかも、最後の返却時のみしか、紙幣を取り出せる位置にまで返却しないことで、利用者への不快感の低減並びにリトライ時間の短縮にもつながる。
なお、正転搬送時および逆転搬送時に紙幣の真偽判定を必ず行っているが、逆転搬送時において、真札と判断した場合には、次の正転時に真偽判定をせずにそのまま取り込むようにしてもよく、この場合には、より早くリトライ処理を行えるものである。
【図面の簡単な説明】
【００１１】
【図１】本発明の実施形態を示す紙幣識別装置の概略側面図である。
【図２】本発明の実施形態の動作を示すフローチャートである。
【符号の説明】
【００１２】
１      紙幣識別装置
２      紙幣挿入口
５      紙幣識別センサ
７      主制御部
【図１】
0004604914.tif 000002
【図２】
0004604914.tif 000003